(57)【要約】【課題】看護師等の医療従事者の操作ミス等に起因するフリーフローを確実に防止することが可能な輸液ポンプを実現する。【解決手段】輸液チューブを閉塞または開放するローラクランプ７を保持するためのクランプ保持部１１３をポンプ本体１１に設け、そのクランプ保持部１１３にローラクランプ７を保持し、扉１２を閉鎖した状態で、ローラクランプ７のローラ７２の一部が外部に露出する構造とする。そして、扉１２が閉鎖状態（ロック状態）のときには、ローラクランプ７のローラ７２をチューブ閉塞位置に操作しない限りは、扉１２を開放できない構造とすることで、輸液中や輸液終了後の誤った操作によるフリーフローを確実に防止する。【選択図】図７
2012245111.tif 000002
【特許請求の範囲】
【請求項１】
輸液チューブを押圧して当該輸液チューブ内の輸液を一方向に送液するポンプ機構を有するポンプ本体と、前記ポンプ本体の輸液チューブ取付位置を開閉自在に覆う扉とを備えた輸液ポンプにおいて、
前記ポンプ本体に、ローラの移動によって輸液チューブを閉塞または開放するローラクランプを保持するためのクランプ保持部が設けられており、そのクランプ保持部にローラクランプを保持し、前記扉を閉鎖した状態で、当該ローラクランプのローラの一部が扉の開口部を通じて外部に露出するように構成されているとともに、前記扉を閉鎖状態にロックするための扉ロック機構を備え、
前記扉ロック機構は、相互に係合可能なロック片と係合部材とを有し、前記扉が閉鎖状態であって前記クランプ保持部に保持された前記ローラクランプのローラがチューブ開放位置にあるときに、前記ロック片と前記係合部材とが係合して前記扉を閉鎖状態にロックするロック状態となり、前記扉が閉鎖状態であって前記クランプ保持部に保持された前記ローラクランプのローラがチューブ閉塞位置にあるときには、前記ロック片と前記係合部材との係合が解除されて前記扉が非ロック状態となるように構成されていることを特徴とする輸液ポンプ。
【請求項２】
請求項１記載の輸液ポンプにおいて、
前記扉ロック機構は、支点軸を中心に回動自在なロックレバーを有し、前記ロックレバーの一端側に前記ロック片が設けられ、他端側に、前記クランプ保持部に保持された前記ローラクランプのローラに接触可能な作動片が設けられているとともに、前記ロックレバーを、前記ロック片と前記係合部材とが係合するロック位置に向けて付勢するロックばねを備え、
前記ロックレバーの作動片が自由な状態のときに、前記ロックばねの弾性力によって、前記ロック片が、当該ロック片と前記係合部材とが係合するロック位置に配置され、
前記扉が閉鎖された状態で、前記クランプ保持部に保持された前記ローラクランプのローラがチューブ閉塞位置に移動操作されたときに、そのローラの移動過程において前記ロックレバーの作動片が前記ローラに当接し、当該作動片が前記ロックばねの弾性力に抗して移動されて前記ロック片が非ロック位置に配置されることを特徴とする輸液ポンプ。
【発明の詳細な説明】
【技術分野】
【０００１】
本発明は輸液ポンプに関する。
【背景技術】
【０００２】
医療用の薬液を体内に注入する場合などに用いる輸液ポンプとしては、例えば、機械的注入式輸液ポンプ、重力を利用した自然滴下式輸液ポンプ、予圧注入式輸液ポンプなどの種々の方式のものが知られている。
【０００３】
機械的注入式輸液ポンプとしては、シリンジのピストンを押圧して輸液を行うシリンジ式輸液ポンプや、ペリスタルティック式輸液ポンプがある。また、ペリスタルティック式輸液ポンプには、ローラを備えたロータ等により輸液チューブを押圧して輸液を行うローラ式輸液ポンプ、及び、フィンガ式輸液ポンプがある。
【０００４】
これら輸液ポンプのうち、フィンガ式輸液ポンプは、例えば、一方向（輸液チューブに沿う方向）に配列された複数のフィンガ、その各フィンガを個別に進退駆動するカム、及び、ポンプの扉側に設けられ、その扉を閉じた状態で上記複数のフィンガの先端部に対向して配置される押圧板などを有するポンプ機構を備え、輸液バッグに接続された輸液チューブを、上記複数のフィンガと押圧板との間にセットした状態で、各フィンガをカムにて個別に進退駆動することにより、輸液チューブを各フィンガで順次押圧して輸液を蠕動運動にて送り出すように構成されている（例えば、特許文献１及び特許文献２参照）。
【０００５】
このような輸液ポンプを用いて輸液を行う場合、輸液ポンプから輸液チューブを取り外す際などにおいて、輸液が重力によって落下し患者に過剰に輸液が投与されてしまう、いわゆる「フリーフロー」が発生するおそれがある。こうしたフリーフローを防止する方法として、ローラクランプを用いて輸液チューブを閉塞するという方法が採られている。その具体的な例について以下に説明する。
【０００６】
まず、輸液の注入に用いられる輸液セットは、一般に、輸液バッグに接続される輸液チューブ、その輸液チューブの途中に設けられた点滴筒、ローラクランプ、及び、輸液チューブの先端に接続された注射針（静脈針）などを備えており、このような輸液セットの輸液チューブを輸液ポンプに取り付ける場合、まずは、ローラクランプにて輸液チューブを閉塞しておく。次に、輸液ポンプの扉を開いた状態で輸液チューブをポンプ本体（ポンプ機構部）に装着し、その後に輸液ポンプの扉を閉じる。このとき（扉を閉鎖したとき）、輸液ポンプのポンプ機構部にて輸液チューブの少なくとも１箇所が閉塞される。そして、このような輸液チューブのセットが完了した後に、ローラクランプを開放し、次いで輸液ポンプを駆動して所定の輸液を行う。一方、輸液を終了した際には、輸液ポンプを停止した後にローラクランプにて輸液チューブを閉塞し、この状態（フリーフローを防止した状態）で、輸液ポンプの扉を開いて輸液チューブを取り外す。このような操作手順により、輸液開始準備時、及び、輸液ポンプから輸液チューブを取り外す際のフリーフローを防止することができる。
【０００７】
なお、フリーフローを防止する技術として、例えば、下記の特許文献３及び特許文献４に、アンチフリーフロー機能を備えた専用のクランプを用いた技術が開示されている。
【先行技術文献】
【特許文献】
【０００８】
【特許文献１】特開２００８−１１３７２６号公報
【特許文献２】特開２００７−１６７３１６号公報
【特許文献３】特開２００４−０５７５７７号公報
【特許文献４】特開２００９−１１９１６１号公報
【発明の概要】
【発明が解決しようとする課題】
【０００９】
ところで、上述した輸液ポンプにおいて、輸液中に誤って輸液ポンプの扉を開いてしまうと、フリーフローが発生する場合がある。また、輸液が終了した際に、ローラクランプにて輸液チューブを閉塞する操作を行う前に誤って輸液ポンプの扉を開いた場合にもフリーフローが発生する場合がある。このように、従来では、看護師等の医療従事者の操作ミス等によってフリーフローが起こるおそれがあり、その改善が望まれている。
【００１０】
本発明はそのような実情を考慮してなされたもので、フリーフローを確実に防止することが可能な輸液ポンプを提供することを目的とする。
【課題を解決するための手段】
【００１１】
本発明は、輸液チューブを押圧して当該輸液チューブ内の輸液を一方向に送液するポンプ機構を有するポンプ本体と、そのポンプ本体の輸液チューブ取付位置を開閉自在に覆う扉とを備えた輸液ポンプを前提としており、このような輸液ポンプにおいて、前記ポンプ本体に、ローラの移動によって輸液チューブを閉塞または開放するローラクランプを保持するためのクランプ保持部が設けられており、そのクランプ保持部にローラクランプを保持し、前記扉を閉鎖した状態で、当該ローラクランプのローラの一部が扉の開口部（ローラ貫通穴）を通じて外部に露出するように構成されているとともに、扉を閉鎖状態にロックするための扉ロック機構を備えている。
【００１２】
そして、その扉ロック機構は、相互に係合可能なロック片と係合部材とを有し、前記扉が閉鎖状態であって前記クランプ保持部に保持された前記ローラクランプのローラがチューブ開放位置にあるときに、前記ロック片と前記係合部材とが係合して前記扉を閉鎖状態にロックするロック状態となり、前記扉が閉鎖状態であって前記クランプ保持部に保持された前記ローラクランプのローラがチューブ閉塞位置にあるときには、前記ロック片と前記係合部材との係合が解除されて前記扉が非ロック状態となるように構成されていることを技術的特徴としている。
【００１３】
本発明の輸液ポンプによれば、扉が閉鎖状態（ロック状態）であるときに、ローラクランプのローラをチューブ閉塞位置に操作しない限りは、扉ロック機構のロック片と係合部材とが係合した状態（ロック状態）が維持される。これにより輸液中に誤って扉を開こうとしても、扉を開くことができないので、誤った操作によるフリーフローを防止することができる。また、輸液終了後、ローラクランプにて輸液チューブを閉塞する前に、扉を開こうとしても、扉を開くことはできない。これによって、ローラクランプを閉め忘れた状態（フリーフローが生じ得る状況）で輸液チューブを輸液ポンプから取り外してしまう、といった問題もなくなる。
【００１４】
このように、本発明の輸液ポンプによれば、看護師等の医療従事者の操作ミス等に起因するフリーフローを確実に防止することができる。
【００１５】
本発明の輸液ポンプに適用する扉ロック機構の具体的な例として、支点軸を中心に回動自在なロックレバーを有し、そのロックレバーの一端側に上記ロック片が設けられ、他端側に、上記クランプ保持部に保持されたローラクランプのローラに接触可能な作動片が設けられているとともに、ロックレバーを、ロック片と係合部材とが係合するロック位置に向けて付勢するロックばねを備えており、ロックレバーの作動片が自由な状態のときに、上記ロックばねの弾性力によって、ロック片が、当該ロック片と上記係合部材とが係合するロック位置に配置される。また、扉が閉鎖された状態で、クランプ保持部に保持されたローラクランプのローラがチューブ閉塞位置に移動操作されたときに、そのローラの移動過程においてロックレバーの作動片がローラに当接し、当該作動片が上記ロックばねの弾性力に抗して移動されて上記ロック片が非ロックに配置されるという構成を挙げることができる。
【００１６】
この構成の輸液ポンプによれば、扉が開いている状態のときには、ロックばねの弾性力によってロックレバーのロック片がロック位置にあるので、ローラクランプをクランプ保持部に保持した際に、そのローラクランプのローラがチューブ閉塞位置にない場合には、扉を閉めようとしても、ロック片と係合部材とが干渉するため扉を閉めることができなくなる（例えば図１１参照）。
【００１７】
また、この構成の輸液ポンプにおいても、扉が閉鎖状態（ロック状態）であるときに、ローラクランプのローラをチューブ閉塞位置に操作しない限りは、ロックばねの弾性力によってロック片がロック位置に配置され、そのロック片と係合部材との係合状態（ロック状態）が維持されるので扉を開くことはできない。これにより、輸液中に誤って扉を開いてしまうことによるフリーフローを防止することができる。なお、この構成の輸液ポンプにおいても、輸液終了後に、扉の外部側に露出しているローラを回転操作してローラクランプにて輸液チューブを閉塞することで、扉が非ロック状態となり、扉を開くことができる。
【発明の効果】
【００１８】
本発明によれば、ポンプ本体のクランプ保持部にローラクランプを保持する構造とし、扉が閉鎖状態で上記クランプ保持部に保持されたローラクランプのローラがチューブ閉塞位置にない場合は扉を開くことができず、そのローラをチューブ閉塞位置を配置したときに限って扉を開くことが可能になるので、看護師等の医療従事者の操作ミス等に起因するフリーフローを確実に防止することができる。
【図面の簡単な説明】
【００１９】
【図１】本発明の輸液ポンプの一例を示す外観斜視図である。
【図２】本発明の輸液ポンプの一例を示す概略構成図である。この図２では輸液ポンプの扉を開いた状態を示している。
【図３】図２のＸ矢視図である。
【図４】図２の輸液ポンプに適用するロックレバー等を抽出して示す斜視図である。
【図５】本発明の輸液ポンプの一例を示す概略構成図である。この図５では輸液ポンプの扉を開いた状態を示しており、また、ポンプ本体にローラクランプを保持した状態を示している。
【図６】本発明の輸液ポンプの一例を示す概略構成図である。この図６では図５の状態から輸液ポンプの扉を閉じた状態を示している。なお、図６では扉の図示は省略している。
【図７】本発明の輸液ポンプの一例を示す概略構成図である。この図７では図６の状態からローラクランプのローラを回転操作して扉をロックした状態を示している。なお、図７では扉の図示は省略している。
【図８】図７のＩ−Ｉ断面図である。
【図９】図７のＩＩ−ＩＩ断面図である。
【図１０】ポンプ本体のクランプ保持部にローラクランプを保持した状態を示す縦断面図である。
【図１１】輸液ポンプの扉が開放状態であり、クランプ保持部に保持したローラクランプが閉塞状態でない場合の状態を示すである。
【図１２】本発明の輸液ポンプに適用するポンプ機構の構造を示す図である。
【図１３】ポンプ機構のフィンガの動作を示す図である。なお、図１３は各フィンガをカム軸と直交する面で切断した断面図である。
【図１４】ポンプ機構の動作説明図である。
【図１５】ポンプ機構の動作説明図である。
【図１６】輸液セットの構成を模式的に示す図である。
【図１７】ローラクランプの斜視図である。
【図１８】ローラクランプの側面図（Ａ）及び平面図（Ｂ）を併記して示す図である。
【図１９】ローラクランプの断面図である。
【発明を実施するための形態】
【００２０】
以下、本発明の実施形態を図面に基づいて説明する。
【００２１】
−輸液セット−
輸液ポンプについて説明する前に、輸液に用いる輸液セットについて図１６を参照して説明する。
【００２２】
図１６に示す輸液セットＳは、薬液を収容する輸液バッグＢ、この輸液バッグＢのポートＢｐに差し込まれる連結針Ｓ１、点滴液の流量を目視にて確認するための点滴筒Ｓ２、これら連結針Ｓ１と点滴筒Ｓ２とを繋ぐ上流側の輸液チューブＴ、上記点滴筒Ｓ２に接続される下流側の輸液チューブＴ、この下流側の輸液チューブＴの途中に設けられたローラクランプ７、及び、輸液チューブＴの先端部に接続される注射針（静脈針）Ｓ３などによって構成されている。
【００２３】
ローラクランプ７は、図１７〜図１９に示すように、クランプ本体７１とローラ７２とを備えている。クランプ本体７１は、所定の間隔を隔てて対向する一対の側壁７１ａ，７１ｂと底板７１ｃとが一体形成された樹脂成形品である。その各側壁７１ａ，７１ｂの内面には、ローラ７２の回転軸７２ａ，７２ｂを支持しつつガイドするガイド溝７１１ａ，７１１ｂが設けられている。クランプ本体７１の底面７１ｄ（底板７１ｃの上面）にはＶ溝７１ｅが形成されている。また、クランプ本体７１の底面７１ｄは上記ガイド溝７１１ａ，７１１ｂに対して傾斜しており、クランプ本体７１の一端側（フランジ７１ｆ側）から他端側に向かうにしたがって、ガイド溝７１１ａ，７１１ｂと底面７１ｄとの間の距離が小さくなるように構成されている。
【００２４】
上記ローラ７２は、ガイド溝７１１ａ，７１１ｂに沿って、クランプ本体７１の一端部（フランジ７１ｆ側の端部）と、他端部（フランジ７１ｆとは反対側の端部）との間において回転移動可能であり、フランジ７１ｆ側の移動端（開放側移動端）にローラ７２が位置したときに、ローラ７２の外周面とクランプ本体７１の底面７１ｄとの間の間隔が最大となり、フランジ７１ｆとは反対側の移動端（閉塞側移動端）にローラ７２が位置したときに、ローラ７２の外周面とクランプ本体７１の底面７１ｄとの間の間隔が最小となる。
【００２５】
以上の構造のローラクランプ７において、輸液チューブＴをクランプ本体７１の底面７１ｄとローラ７２の外周面との間に挿入した状態で、ローラ７２を回転操作して、ローラ７２をクランプ本体７１の閉塞側移動端に配置すると、輸液チューブＴが完全に閉塞される状態となる。この状態からローラ７２をクランプ本体７１のフランジ７１ｆ側に向けて回転移動させていくと、そのローラ７２の回転移動に伴って輸液チューブＴへの押圧量（扁平量）が小さくなり、輸液チューブＴ内を流れることが可能な輸液の量が多くなっていく。そして、ローラ７２を開放側移動端に配置した状態で、輸液チューブＴはローラ７２にて押圧されない状態（完全開放状態）となる。
【００２６】
［実施形態１］
−輸液ポンプ−
本発明の輸液ポンプの一例について図１〜図１５参照して説明する。
【００２７】
この例の輸液ポンプ１は、ペリスタルティックフィンガ式の輸液ポンプであって、ポンプ本体（ケーシング）１１と、このポンプ本体１１の前面側（チューブ取付位置）を閉鎖する扉１２とを備えている。扉１２はヒンジ１４，１４を介してポンプ本体１１に揺動自在（回動自在）に支持されており、ポンプ本体１１の前面側を完全に閉鎖する位置から、完全開放位置（例えば、１８０°開く位置）までの間において揺動可能となっている。
【００２８】
ポンプ本体１１の前面には、輸液送り方向の上流側から順に、チューブ装着ガイド部１１１、そのチューブ装着ガイド部１１１から矩形状に拡大したポンプ部１１２、及び、クランプ保持部１１３が設けられている。チューブ装着ガイド部１１１の溝幅は、上記した輸液セットの輸液チューブＴの外径に対応する大きさとなっている。また、ポンプ部１１２には、後述するポンプ機構２のフィンガ２１・・２１の先端部が臨んでいる。チューブ装着ガイド部１１１は横方向に湾曲した形状（曲り形状）に形成されている。
【００２９】
なお、扉１２の内面に押圧板２４が設けられている。この押圧板２４は、扉１２を閉じた状態で上記ポンプ機構２の複数のフィンガ２１・・２１の先端部に対向する位置に配置されている。
【００３０】
クランプ保持部１１３は、図１６〜図１９に示すローラクランプ７のクランプ本体７１を、その底板７１ｃ側から嵌め込むことが可能な保持凹部１１３ａを備えており、この保持凹部１１３ａにローラクランプ７（クランプ本体７１）を嵌め込んだ状態で、輸液チューブＴが輸液ポンプ１の上下方向に沿って配置され、ローラ７２の上下方向への移動により輸液チューブＴの閉塞と開放とを行うことができる。
【００３１】
また、ポンプ本体１１の側端部（ヒンジ１４とは反対側の端部）には、後述する扉ロック機構５の係合部材１２１が入り込むことが可能なロック用凹部１１ａが設けられている。このロック用凹部１１ａの縦壁（凹部の底壁）１１０ａには矩形スリット状の貫通穴１１０ｂが設けられており（図６〜図９参照）、この貫通穴１１０ｂを通じて、後述するロックレバー５Ａのロック片５１がポンプ本体１１の外部（ロック用凹部１１ａの内部）に突出可能となっている。
【００３２】
一方、扉１２には、上記クランプ保持部１１３に対応する位置（扉１２の閉鎖状態でクランプ保持部１１３と対向する位置）に操作凹部１２３が設けられている（図１及び図８等参照）。この操作凹部１２３の奥側の縦壁（扉前面と平行な壁体）１２３ａは、扉１２を閉鎖した状態で、ポンプ本体１１のクランプ保持部１１３に保持したローラクランプ７の側壁７１ａ，７１ｂの前面（上面）の接触（もしくは近接）するようにようになっている（図８参照）。なお、操作凹部１２３の上下壁及び左右は、後述するローラ７２の回転操作を行いやすくするために、扉１２の正面側に向かうにしたがって上下・左右に広がる傾斜壁となっている。
【００３３】
また、操作凹部１２３の縦壁１２３ａには、矩形スリット状のローラ貫通穴１２ａが設けられている。このローラ貫通穴１２ａは、ローラクランプ７のローラ７２の厚さ（軸方向の幅）よりも所定量だけ大きなスリット幅で、クランプ保持部１１３に保持したローラクランプ７のローラ７２の移動方向（上下方向）に沿って延びる穴である。ローラ貫通穴１２ａの上下方向の長さ寸法は、ローラクランプ７のローラ７２の移動範囲（開放側移動端〜閉塞側移動端の範囲）よりも大きく設定されている。
【００３４】
そして、これらの操作凹部１２３及びローラ貫通穴１２ａなどの構成によって、クランプ保持部１１３にローラクランプ７を保持して扉１２を閉じた状態で、ローラクランプ７のローラ７２の一部（略半分）がローラ貫通穴１２ａを通じて外部に露出するようになっている。したがって、看護師等は、輸液ポンプ１の内部に保持したローラクランプ７のローラ７２を、外部（扉１２の正面側）からの操作にて回転させることが可能であり、そのローラ７２を上記した開放側移動端と閉塞側移動端との間において移動させることができる。つまり、外部操作により輸液ポンプ１内の輸液チューブＴの開放と閉塞とを行うことができる。
【００３５】
また、扉１２の側端部（ヒンジ１４とは反対側の端部）には、後述する扉ロック機構５の構成部材の１つである係合部材１２１が設けられている。係合部材１２１には、扉１２を閉じた状態で、後述するロックレバー５Ａのロック片５１が入り込むことが可能な係合穴１２１ａが設けられている。そして、扉１２を閉じた状態で、後述する動作によりロックレバー５Ａのロック片５１が係合部材１２１の係合穴１２１ａに入り込むと、ロック片５１と係合部材１２１とが係合状態となり、ヒンジ１４を中心とする係合部材１２１の回動、つまり、扉１２の揺動（回動）が阻止されて扉１２が完全閉鎖状態に保持される（扉ロック状態）。なお、扉１２の内壁１２０には、ロックレバー５Ａ及び作動片５２等との干渉を避けるための開口部１２０ａが設けられている。
【００３６】
−ポンプ機構−
次に、ポンプ機構２の具体的な例について図１２〜図１５を参照して説明する。なお、図１２〜図１５において、偏心カム２２については切断しないで表記している。
【００３７】
ポンプ機構２は、一方向（上記ポンプ本体１１に装着した輸液チューブＴに沿う方向）に沿って配列された複数（図１２に示す例では１３個）のフィンガ２１・・２１、その各フィンガ２１をそれぞれ個別に進退駆動するための偏心カム２２・・２２、各偏芯カム２２を回転するカム軸２３、上記した押圧板２４、及び、保持フレーム２０などによって構成されている。
【００３８】
保持フレーム２０の前面側には各フィンガ２１に対応する位置に開口部２０ａ・・２０ａが設けられており、この開口部２０ａを通じて各フィンガ２１の先端部が保持フレーム２０の前面側（輸液チューブＴ側）に臨んでいる。また、これら複数のフィンガ２１・・２１の軸方向（カム軸２３の軸心方向）の移動は保持フレーム２０によって規制されている。なお、各フィンガ２１は板状の部材であって、相互に摺動しながら個別に移動（進退移動）可能となっている。
【００３９】
各フィンガ２１にはそれぞれカム穴２１ａが形成されている。その各カム穴２１ａには、それぞれ円板状の偏心カム２２が嵌め込まれている。各偏心カム２２はカム穴２１ａ内において回転可能であり、これら偏心カム２２・・２２は上記カム軸２３に回転一体に取り付けられている。
【００４０】
各偏心カム２２は、その円板の中心がカム軸２３に対して偏心しており、図１３に示すように、カム軸２３が１回転（３６０°回転）すると、フィンガ２１の先端部が最前進位置（チューブ閉塞位置）と最後退位置（チューブ完全開放位置）との間を１回往復するようになっている。そして、これらの複数の偏心カム２２は相互に所定の位相差（カム軸２３の回転方向の位相差）をもってカム軸２３に取り付けられている。具体的には、偏心カム２２・・２２は、カム軸２３の軸方向に並ぶ複数のフィンガ２１・・２１の先端部が略正弦波に沿うような位相差（３６０°／偏心カム２２の数）でカム軸２３に取り付けられている。なお、図１３には、カム軸２３が９０°回転するごとのフィンガ２１の位置を示している。
【００４１】
上記ポンプ機構２のカム軸２３は、図１２に示すように、上下方向（複数のフィンガ２１・・２１の配列方向）に沿って設けられている。カム軸２３の下端部は、保持フレーム２０に設けられたベアリング２６によって回転自在に支持されている。カム軸２３の上側部分は、保持フレーム２０の壁体を貫通して上方に突出している。そのカム軸２３の貫通部分にはベアリング２５が設けられており、そのベアリング２５によってカム軸２３の上側部分が回転自在に支持されている。
【００４２】
カム軸２３の上端部にはタイミングプーリ（従動プーリ）２０１が回転一体に取り付けられている。このカム軸２３のタイミングプーリ２０１と、電動モータ（例えばステッピングモータ）４の回転軸４１に回転一体に取り付けられたタイミングプーリ（駆動プーリ）２０２との間にタイミングベルト２０３が巻き掛けられており、その電動モータ４の駆動によりカム軸２３が回転する。電動モータ４は制御部３によって駆動制御（回転数制御）される。なお、この例において、電動モータ４には、輸液ポンプ１に内蔵の電池または商用電源からの電力が供給されるようになっている。
【００４３】
そして、電動モータ４の駆動によりカム軸２３が回転すると、各偏心カム２２がフィンガ２１のカム穴２１ａ内で回転する。この偏心カム２２の偏心回転に伴って、各フィンガ２１が上流側（輸液送り方向の上流側）から下流側にかけて順次前進・後退していく。具体的には、図１４（Ａ）、（Ｂ）及び図１５（Ａ）、（Ｂ）に示すように、フィンガ２１の先端部が上流側から下流側に蠕動波状に移動していく。このようなフィンガ２１・・２１の進退移動（往復移動）によって、これらフィンガ２１・・２１の先端部と押圧板２４との間に配置された輸液チューブＴに蠕動運動が付与され、当該輸液チューブＴ内の輸液が上流側から下流側へと送り出されていく。なお、この例では、輸液チューブＴがフィンガ２１・・２１から受ける過負荷を軽減するために、押圧板２４とベース板１５との間に緩衝シート２４ａが設けられている。
【００４４】
ここで、この例において、制御部３は、マイクロコンピュータ等を主体として構成されている。制御部３は、例えば扉１２の前面に設置の操作パネル１２２（図１参照）の操作にて設定された輸液流量（単位時間当たりの輸液の送り量）の設定値に応じて、電動モータ４の回転数を制御することにより輸液流量を可変に調整することが可能であり、例えば輸液流量を１ｍＬ／ｈ〜１２００ｍＬ／ｈの範囲内において、［１ｍＬ／ｈ］単位で設定することができる。また、制御部３は、後述するローラ移動機構３の電動モータ３２３の駆動制御を行う。さらに、制御部３は、上記操作パネル１２２に、「輸液流量（注入量）」や「注入積算時間」などの動作情報を表示し、また、「気泡混入異常」や「扉閉塞不良」などを含む各種警告を表示するように構成されている。
【００４５】
−扉ロック機構−
次に、扉ロック機構５について図２〜図１０を参照して説明する。
【００４６】
この例の扉ロック機構５は、ロックレバー５Ａ、ポンプ本体１１の前壁１１０の裏面にに設けた支点軸５３、ロックばね５４、及び、上記扉１２に設けた係合部材１２１などによって構成されている。
【００４７】
ロックレバー５Ａは、レバー片５０、ロック片５１及び作動片（入力片）５２を備えている。レバー片５０は、ポンプ本体１１の上下方向に沿って延びる縦アーム５０ａと、ポンプ本体１１の横方向（縦アーム５０ａと直交する方向）に沿って延びる横アーム５０ｂとが一体形成されている。
【００４８】
縦アーム５０ａの先端（ロックレバー５Ａの一端側）にロック片５１が一体形成されている。ロック片５１は縦アーム５０ａに対して直交する方向に延びる板状の部材である。ロック片５１は、上述したように、ロック用凹部１１ａの縦壁１１０ａに設けた貫通穴１１０ｂを通じて外部に突出可能である。
【００４９】
横アーム５０ｂは、ポンプ本体１１の横方向に延びる第１横片５０１ｂと、この第１横片５０１ｂの先端からポンプ本体１１の前後方向に沿ってポンプ本体１１の前面側に延びる連結片５０２ｂと、この連結片５０２ｂの先端からポンプ本体１１の横方向に延びる第２横片５０３ｂとが一体形成されており、その第２横片５０３ｂの先端（ロックレバー５Ａの他端側）に作動片５２が一体形成されている。
【００５０】
作動片５２はポンプ本体１１の上下方向に沿って延びる板状の部材である。作動片５２は、図２〜図１０に示すように、クランプ保持部１１３の下部中央に配置されており、そのクランプ保持部１１３にローラクランプ７を保持した状態で、作動片５２の先端部５２ａがローラクランプ７のローラ７２の外周面に対向するようになっている。つまり、作動片５２は、その先端部５２ａがローラクランプ７のローラ７２の外周面に接触可能な位置に配置されている。
【００５１】
上記ロックレバー５Ａを構成する各片のうち、縦アーム５０ａ（ロック片５１）、横アーム５０ｂの第１横片５０１ｂ及び連結片５０２ｂの一部は、ポンプ本体１１の前壁１１０の裏面側に配置されており、その連結片５０２ｂの残りの部分及び第２横片５０３ｂ（作動片５２）はポンプ本体１１の前壁１１０の前面側に配置されている。連結片５０２ｂは、前壁１１０に開口された貫通穴１１０ｃを通じて、前壁１１０の前面側と裏面側とに臨んでいる。
【００５２】
上記縦アーム５０ａと横アーム５０ｂとは互いに直交した状態で連結されている。これら縦アーム５０ａと横アーム５０ｂとの連結部５０ｃが支点軸５３によって回転自在に支持されており、ロックレバー５Ａの全体が支点軸５３を中心として回動（揺動）可能となっている。そのロックレバー５Ａの回動によってロック片５１が、図２、図４及び図７に示すロック位置と、図５及び図６に示す非ロック位置とに移動することができる。
【００５３】
なお、ロックレバー５Ａの縦アーム５０ａの側部には、ロック片５１のロック用凹部１１ａへの突出量（ロック片５１の移動）を規定するための位置決め部材（突部）５６が設けられており、この位置決め部材５６にロックレバー５Ａの縦アーム５０ａが当たった状態で、ロック片５１が上記ロック位置に位置決めされる。
【００５４】
上記支点軸５３は、ポンプ本体１１の前壁１１０の裏面から突出する段付きの軸（前壁１１０に対して垂直な軸）であって、その小径部５３ａに上記レバー片５０の結合部５０ｃに設けた嵌合穴（支点穴）５０ｄが嵌め込まれている。支点軸５３の小径部５３ａの先端部にはピン５５が取り付けられている。そのピン５５とレバー片５０（結合部５０ｃ）との間にロックばね（ねじりコイルばね）５４が配置されている。このロックばね５４の一端部はピン５５に係止されている。また、ロックばね５４の他端部はレバー片５０の第１横片５０１ｂに係止されており、このロックばね５４の弾性力によって、レバー片５０が図２中矢印の向き（ポンプ本体１１の正面から見て時計方向（ロック側））に付勢されている。
【００５５】
以上の構造の扉ロック機構５において、ロックレバー５Ａの作動片５２が自由な状態であるときには、ロックばね５４の弾性力によって、ロック片５１が図２、図４及び図７にに示すロック位置に配置される。一方、作動片５２に下向きの力（ポンプ部１１２に対して離反する向きの力）が作用すると、ロックレバー５Ａが支点軸５３を中心として反時計方向（ポンプ本体１１の正面から見て反時計方向）に回動する。そして、作動片５２が図５、図６及び図９（Ａ）に示す位置（ローラ７２の閉塞側移動端に相当する位置）に移動した状態で、ロック片５１が非ロック位置に配置される。なお、この例において、ロックばね５４の弾性力は、看護婦等がローラクランプ７のローラ７２を回転操作したときに、そのローラ７２にて作動片５２を押す力よりも小さく設定されており、ローラ操作によりロックレバー５Ａをロックばね５４の弾性力に抗して回動させることが可能である。
【００５６】
−ローラクランプの開閉操作等について−
次に、輸液ポンプ１への輸液チューブＴのセッティング、及び、ローラクランプ７の開閉操作について図２〜図１１を参照して説明する。
【００５７】
（Ｓ１）まず、図１６に示す輸液セットＳのローラクランプ７のローラ７２を操作して輸液チューブＴを閉塞しておく（ローラ７２を閉塞側移動端に配置しておく）。
【００５８】
次に、輸液ポンプ１の扉１２を開いた状態（図２参照）で、ローラクランプ７をポンプ本体１１の前面側に持っていき、そのローラクランプ７のクランプ本体７１を、フランジ７１ｆを上側にした姿勢でポンプ本体１１のクランプ保持部１１３（保持凹部１１３ａ）に嵌め込む（図５及び図１０（Ａ）参照）。具体的には、まずは、ローラクランプ７をクランプ保持部１１３の上方側に配置した状態で、そのローラクランプ７の下流側の輸液チューブＴを、ロックレバー５Ａの作動片５２とクランプ保持部１１３の側壁１１３ｂ（図２、図８参照）との間に押し込んで、輸液チューブＴをクランプ保持部１１３の保持凹部１１３ａ内（作動片５２の内側）に挿入する。次に、輸液チューブＴを保持凹部１１３ａ内に挿入した状態で、ローラクランプ７及び輸液チューブＴを下方側にスライドさせながら、クランプ本体７１を保持凹部１１３ａ内に嵌め込む。このとき、人差し指などにより、ロックレバー５Ａを非ロック側に回動（ポンプ本体１１の正面から見て反時計方向に回動）させた状態でローラクランプ７を保持凹部１１３ａに嵌め込む。あるいは、ローラクランプ７のローラ７２にて作動片５２を押し下げながらローラクランプ７を保持凹部１１３ａに嵌め込む、というような手法によりローラクランプ７をクランプ保持部１１３に保持する。
【００５９】
このようにして、ローラクランプ７をポンプ本体１１のクランプ保持部１１３に保持した状態では、図５及び図１０（Ａ）に示すように、ロックレバー５Ａの作動片５２の先端部５２ａが、ローラ移動範囲の閉塞側移動端に位置しているローラ７２の外周面に当接し、ロック片５１が非ロック位置に配置される。
【００６０】
（Ｓ２）ローラクランプ７をクランプ保持部１１３に保持した状態で、ローラクランプ７の上流側の輸液チューブＴをチューブ装着ガイド部１１１及びポンプ部１１２に装着する。このようなチューブ装着が終了した後に扉１２を閉める。この状態（扉１２を閉じた状態）で、扉１２の前面側に露出しているローラ７２を回転操作して、ローラ７２を上側に回転移動（チューブ解放位置（開放側移動端）側に向けて回転移動）させる（図１０（Ｂ）参照）。このローラ７２の移動過程において、ロックばね５４の弾性力によってロックレバー５Ａがロック側に回動（ポンプ本体１１の正面から見て反時計方向に回動）し、ロックレバー５Ａの作動片５２がローラ７２の外周面から外れた時点（作動片５２が自由な状態になった時点）で、ロック片５１がロック位置（図７〜図９等に示す位置）に配置される。
【００６１】
ここで、この（Ｓ２）の操作を行う際に、クランプ本体１１のクランプ保持部１１３に保持したローラクランプ７のローラ７２がチューブ閉塞位置にない場合（ロックレバー５Ａの作動片５２が自由な状態である場合）は、ロックばね５４の弾性力によって、ロックレバー５Ａのロック片５１がポンプ本体１１のロック用凹部１１ａの内部に突出しているので、扉１２を閉めようとしたときに、扉１２の係合部材１２１がロック片５１に当たる（干渉する）ため扉１２を閉めることはできない。これによって、例えば、輸液ポンプ１に輸液チューブＴを装着する際に、ローラクランプ７にて輸液チューブＴを閉塞することを忘れている場合は、その旨（チューブ閉塞忘れ）を看護等が知ることができる。なお、こうした場合、クランプ保持部１１３に保持したローラクランプ７のローラ７２を閉塞側移動端まで回転移動させ、ロック片５１を非ロック位置にまで移動させた状態（扉ロックを解除した状態）で扉１２を閉め、その後に、ローラ７２を回転操作してチューブ解放位置（開放側移動端）に移動させるという操作を行う。
【００６２】
このようなチューブセッティングを終了した後に、輸液ポンプ１を駆動させて輸液セットＳのプライミング操作を行っておく。輸液ポンプ１の駆動によるプライミング操作の代わりに、輸液ポンプ１にセッティングを行う前に落差圧でプライミング操作を行った輸液セットＳを輸液ポンプ１にセッティングするようにしてもよい。
【００６３】
そして、以上のような処理により輸液の準備が完了し、その後に、輸液ポンプ１を駆動して所定の輸液（点滴）を開始する。
【００６４】
（Ｓ３）輸液ポンプ１の運転を開始してからの積算時間（または輸液積算量）が予定の値に達した時点で輸液ポンプ１の運転を停止する。次に、輸液ポンプ１の停止を確認した後に、扉１２の前面側に露出しているローラ７２を回転操作して、ローラ７２を下側に回転移動（チューブ閉塞位置（閉塞側移動端）に向けて回転移動）させる。このローラ７２の移動過程において、ローラ７２の外周面がロックレバー５Ａの作動片５２の先端部５２ａに当接した時点から、ロックレバー５Ａが非ロック側に、ロックばね５４の弾性力に抗して回動（ポンプ本体１１の正面から見て反時計方向に回動）し、ローラ７２が閉塞移動端に達した時点（輸液チューブＴが完全閉塞状態となった時点）でロック片５１が非ロック状態になる（図６等参照）。この後に、扉１２を開いて、輸液チューブＴ及びローラクランプ７を輸液ポンプ１から取り外す。
【００６５】
以上のように、この例の輸液ポンプ１によれば、扉１２が閉鎖状態（扉のロック状態）にあるときに、ローラクランプ７のローラ７２をチューブ閉塞位置に操作しない限りは、扉ロック機構５のロック片５１と係合部材１２１とが係合した状態（扉のロック状態）が維持される。これにより、輸液中に誤って扉１２を開こうとしても、扉１２を開くことができないので、誤った操作によるフリーフローを防止することができる。
【００６６】
また、輸液終了後、ローラクランプ７にて輸液チューブＴを閉塞する前に、扉１２を開こうとしても、扉１２を開くことはできない。これによって、ローラクランプ７を閉め忘れた状態（フリーフローが生じ得る状況）で輸液チューブＴを輸液ポンプ１から取り外してしまう、といった問題もなくなる。
【００６７】
さらに、本発明の輸液ポンプは、ポンプ本体１１に輸液チューブＴのローラクランプ７を保持することによりフリーフローを防止することができるので、専用のクランプを用いる必要がなく、ローラクランプを備えた一般的な輸液チューブにおいてもフリーフローを防止することができる。
【００６８】
このように、この例の輸液ポンプ１によれば、看護師等の医療従事者の操作ミス等に起因するフリーフローを確実に防止することができる。
【００６９】
なお、輸液ポンプ１の持ち運び時や未使用保管時などにおいて、輸液ポンプ１の扉１２を閉めておく必要がある場合、次のような操作を行えばよい。
【００７０】
例えば、板材や棒材等（もしくはローラクランプ７のローラ７２）を、扉１２のローラ貫通穴１２ａに扉前面側から挿入し、ロックレバー５Ａの作動片５２を押し下げてロック片５１を非ロック位置に配置した状態で、扉１２を閉じ、板材や棒材等を抜き取ることにより扉１２を完全閉鎖状態にロックする。また、このような扉１２のロックを解除するには、板材や棒材等を扉１２のローラ貫通穴１２ａに扉前面側から挿入し、ロックレバー５Ａの作動片５２を押し下げてロック片５１を非ロック位置に配置した状態で、扉１２を開くという操作を行えばよい。
【００７１】
以上の例では、ロック片５１をロック位置に向けて付勢するロックばね５４として、ねじりコイルばねを用いているが、本発明はこれに限られることなく、例えば、圧縮コイルばね、引張コイルばねなど、ロック片５１（ロックレバー５Ａ）をロック位置に向けて付勢できるものであれば、他の任意のばね（弾性部材）を適用してもよい。
【００７２】
以上の例では、ロック片５１（ロックレバー５Ａ）をポンプ本体１１側に設け、係合部材１２１を扉１２側に設けているが、本発明はこれに限られることなく、ロック片を扉１２側に設け、係合部材をポンプ本体１１側に設けるようにしてもよい。
【００７３】
［実施形態２］
次に、本発明の輸液ポンプの他の例について説明する。
【００７４】
この例の輸液ポンプは、上記した［実施形態１］と同様に、ペリスタルティックフィンガ式の輸液ポンプであって、ポンプ本体１１と、このポンプ本体１１の前面側（チューブ取付位置）を閉鎖する扉１２とを備えている（図１及び図２等参照）。扉１２は、ヒンジ１４，１４を介してポンプ本体１１に揺動自在（回転自在）に支持されており、ポンプ本体１１の前面側を完全に閉鎖する位置から完全開放位置（例えば、１８０°開く位置）までの間において揺動可能となっている。
【００７５】
この例の輸液ポンプにおいて、以下に説明する構成以外については、上記した［実施形態１］と同様な構成であるので、その具体的な説明は省略する。
【００７６】
この例の輸液ポンプは、ローラ位置センサ６００及び電気式の扉ロック機構７００（いずれも図示せず）を備えている。
【００７７】
ローラ位置センサ６００は、例えば、発光素子と受光素子とからなる公知の光電センサ（反射型）であって、ポンプ本体１１のクランプ保持部１１３に保持したローラクランプ７のローラ７２がチューブ解放位置（開放側移動端）にあるときに（図７参照）、ローラ検出信号（ＯＮ信号）を出力するようになっている。なお、ローラ位置センサ６００としては、発光素子と受光素子とを対向配置する構造の透過型光電センサを用いてもよい。また、このような光電センサのほか、例えば、ローラ７２がチューブ解放位置（開放側移動端）に位置したときにＯＮ（またはＯＦＦ）となるリミットスイッチなど、他の公知の位置・物品検出手段を適用してもよい。
【００７８】
電気式の扉ロック機構７００は、例えばソレノイドをアクチュエータとし、上記ロータ位置センサ６００の出力信号がＯＮ信号であるときに扉１２を閉鎖状態にロックし、ＯＦＦ信号であるときに扉１２のロック状態を解除（非ロック状態）するように構成されている。
【００７９】
そして、この例では、扉１２が閉鎖状態のときに、ポンプ本体１１のクランプ保持部１１３に保持されたローラクランプ７のローラ７２をチューブ閉塞側からチューブ開放位置（開放側移動端）に回転移動させたときに（図７参照）、ロック位置センサ６００の検出信号がＯＦＦ信号からＯＮ信号に切り替わり、これに応じて扉ロック機構７００が作動して扉１２がロック状態となる。この状態から、ローラ７２をチューブ解放位置に回転移動させると、ロック位置センサ６００の検出信号がＯＮ信号からＯＦＦ信号に切り替わり、これに応じて扉ロック機構７００によるロックが解除され扉１２が非ロック状態となる。
【００８０】
以上のように、この例の輸液ポンプにおいても、扉１２が閉鎖状態（扉のロック状態）にあるときに、ローラクランプ７のローラ７２をチューブ閉塞位置に操作しない限りは、扉１２のロック状態）が維持される。これにより、輸液中に誤って扉１２を開こうとしても、扉１２を開くことができないので、誤った操作によるフリーフローを防止することができる。
【００８１】
また、輸液終了後、ローラクランプ７にて輸液チューブＴを閉塞する前に、扉１２を開こうとしても、扉１２を開くことはできない。これによって、ローラクランプ７を閉め忘れた状態（フリーフローが生じ得る状況）で輸液チューブＴを輸液ポンプ１から取り外してしまう、といった問題もなくなる。さらに、輸液開始後のローラクランプ７の開け忘れも防止することができる。
【００８２】
−他の実施形態−
以上の例では、輸液ポンプのポンプ機構として、ペリスタルティックフィンガ式のポンプ機構を用いているが、これに限定されることなく、輸液チューブ内の輸液を送液することが可能な機構であれば、他の方式のポンプ機構を採用してもよい。その一例として、ローラ式のポンプ機構や、例えば、特開２０１０−１３６８５３号公報に開示されているようなＶ字構造有機アクチュエータモジュールを備えたポンプ機構などを挙げることができる。
【産業上の利用可能性】
【００８３】
本発明は、医療用の薬液を体内に注入する場合などに用いる輸液ポンプに利用することができる。
【符号の説明】
【００８４】
１  輸液ポンプ
１１  ポンプ本体
１１ａ  ロック用凹部
１１０ｂ  貫通穴
１１２  ポンプ部
１１３  クランプ保持部
１２  扉
１２ａ  ローラ貫通穴
１２１  係合部材
１２１ａ  係合穴
１２３  操作凹部
２  ポンプ機構
５  扉ロック機構
５Ａ  ロックレバー
５１  ロック片
５２  作動片
５３  支点軸
５４  ロックばね（ねじりコイルばね）
５５  ピン
５６  位置決め部材
７  ローラクランプ
７２  ローラ
Ｓ  輸液セット
Ｂ  輸液バッグ
Ｔ  輸液チューブ
【図１】
2012245111.tif 000003
【図２】
2012245111.tif 000004
【図３】
2012245111.tif 000005
【図４】
2012245111.tif 000006
【図５】
2012245111.tif 000007
【図６】
2012245111.tif 000008
【図７】
2012245111.tif 000009
【図８】
2012245111.tif 000010
【図９】
2012245111.tif 000011
【図１０】
2012245111.tif 000012
【図１１】
2012245111.tif 000013
【図１２】
2012245111.tif 000014
【図１３】
2012245111.tif 000015
【図１４】
2012245111.tif 000016
【図１５】
2012245111.tif 000017
【図１６】
2012245111.tif 000018
【図１７】
2012245111.tif 000019
【図１８】
2012245111.tif 000020
【図１９】
2012245111.tif 000021